(57)【要約】      （修正有）【課題】より多くの種類のＩＣに対応可能な検出機能付き表示装置を提供する。【解決手段】タッチ検出機能付き表示装置は、表示面に沿ってＸ方向に並ぶ複数の駆動電極ＣＯＭＬと、表示面に沿ってＹ方向に並んで駆動電極ＣＯＭＬと対向する検出電極ＴＤＬと、駆動電極ＣＯＭＬに与えられる電位を、高駆動電位ＴＰＨ／低駆動電位ＴＰＬ又は非駆動電位ＶＣＯＭＤＣのいずれかにする切替制御を行う電位選択回路１４ｃと、複数の駆動電極ＣＯＭＬのうちタッチ検出に用いられる駆動電極ＣＯＭＬを示すシフトレジスタ信号Ｓ／Ｒを出力する走査回路１４ａと、検出電極ＴＤＬの電位に基づいてタッチ操作を検出するタッチパネルＩＣ１８と、第１信号ＶＣＯＭＳＥＬ又は第２信号Ｔｘ＿ｏｕｔのいずれかを電位選択回路１４ｃに供給する信号選択回路１４ｂと、を備える。【選択図】図６
2020204977.tif 000002
【特許請求の範囲】
【請求項１】
複数の画素が配置された表示部と、
前記表示部の表示面に沿って第１方向に並ぶ複数の駆動電極と、
前記表示面に沿って前記第１方向と異なる第２方向に並んで前記駆動電極と対向する検出電極と、
前記駆動電極に与えられる電位を、駆動電位又は非駆動電位のいずれかにする切替制御を行う電位選択回路と、
前記複数の駆動電極のうちタッチ検出に用いられる駆動電極を示す走査信号を出力する走査回路と、
前記検出電極の電位に基づいて前記タッチ検出を行う検出回路と、
前記走査信号に対応した第１信号又は前記検出回路からの第２信号のいずれかを前記電位選択回路に供給する信号選択回路と、を備え、
前記切替制御は、
前記第１信号と前記第２信号のいずれか一方の信号に基づいて前記複数の駆動電極のうち一部の駆動電極に前記駆動電位を与え、当該一部を除く駆動電極に前記非駆動電位を与える処理を含む
検出機能付き表示装置。
【請求項２】
信号選択回路は、走査回路に接続されると共に検出回路に接続されており、前記切替制御を行う
請求項１に記載の検出機能付き表示装置。
【請求項３】
前記電位選択回路は、前記駆動電位に対応した電位線と、非駆動電位に対応した電位線と、各電位線と駆動電極の間にスイッチを備え、該スイッチは、前記信号選択回路の出力によって制御される
請求項１又は２に記載の検出機能付き表示装置。
【請求項４】
前記検出回路と前記信号選択回路は、迂回配線によって前記走査回路を介することなく直接接続されている
請求項１から３のいずれか一項に記載の検出機能付き表示装置。
【請求項５】
前記迂回配線には、前記検出回路からの第２信号を増幅するレベルシフタが設けられている
請求項４に記載の検出機能付き表示装置。
【請求項６】
前記駆動電極と検出回路は、分岐配線を介して信号選択回路及び電位選択回路を介することなく接続されている
請求項４又は５に記載の検出機能付き表示装置。
【請求項７】
前記分岐配線の一方端は前記迂回配線に接続されており、他方端は、当該検出回路と駆動電極の接続状態を制御するスイッチに接続されている
請求項６に記載の検出機能付き表示装置。
【発明の詳細な説明】
【技術分野】
【０００１】
本発明は、検出機能付き表示装置に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着又は一体化されて、タッチ検出機能付き表示装置として用いられている。そして、タッチ検出機能付き表示装置は、表示装置に各種のボタン画像等を表示させることにより、タッチパネルを通常の機械式ボタンの代わりとして情報入力を可能としている（例えば、特許文献１）。
【先行技術文献】
【特許文献】
【０００３】
【特許文献１】特開２０１６−０９９８９７号公報
【発明の概要】
【発明が解決しようとする課題】
【０００４】
タッチパネルの方式として、タッチパネル機能と表示機能とが一体的に設けられたパネルを想定したインセル方式と、タッチパネル機能と表示機能とが分離されたパネルを想定したアウトセル方式とがある。従来、インセル方式とアウトセル方式ではタッチパネル機能に係る回路構成が異なっていた。このため、タッチ検出を行う集積回路（ＩＣ）には、インセル用のＩＣと、アウトセル用のＩＣがあった。逆に言えば、タッチパネルの構成は、タッチ検出を行うＩＣに応じたものでなければならなかった。このような、タッチパネルとＩＣとの組み合わせの制限を緩和したいという要求があった。
【０００５】
本発明は、より多くの種類のＩＣに対応可能な検出機能付き表示装置を提供することを目的とする。
【課題を解決するための手段】
【０００６】
本発明の一態様の検出機能付き表示装置は、複数の画素が配置された表示部と、前記表示部の表示面に沿って第１方向に並ぶ複数の駆動電極と、前記表示面に沿って前記第１方向と異なる第２方向に並んで前記駆動電極と対向する検出電極と、前記駆動電極に与えられる電位を、駆動電位又は非駆動電位のいずれかにする切替制御を行う電位選択回路と、前記複数の駆動電極のうちユーザが行う操作の検出に用いられる駆動電極を示す走査信号を出力する走査回路と、前記検出電極の電位に基づいて前記操作を検出する検出回路と、前記走査信号に対応した第１信号又は前記検出回路からの第２信号のいずれかを前記電位選択回路に供給する信号選択回路と、を備え、前記切替制御は、前記第１信号が供給された場合、前記複数の駆動電極のうち一部の駆動電極に前記駆動電位を与え、当該一部を除く駆動電極に前記非駆動電位を与え、前記第２信号が供給された場合、前記第１方向に隣り合う前記駆動電極のうち一方に前記駆動電位を与えるとともに他方に前記駆動電位を反転した電位を与える処理を含む。
【図面の簡単な説明】
【０００７】
【図１】図１は、タッチ検出機能付き表示装置の概略断面構造を表す断面図である。
【図２】図２は、タッチ検出機能付き表示装置を構成するＴＦＴ基板を模式的に示す平面図である。
【図３】図３は、タッチ検出機能付き表示装置を構成する絶縁基板を模式的に示す平面図である。
【図４】図４は、実施形態に係るタッチ検出機能付き表示部の画素配列を表す回路図である。
【図５】図５は、実施形態に係るタッチ検出機能付き表示部の駆動電極及びタッチ検出電極の一構成例を表す斜視図である。
【図６】図６は、駆動回路部の主要構成例及び駆動回路部に接続される各種の構成例を示すブロック図である。
【図７】図７は、タッチパネルＩＣ１８ａが採用された場合におけるタッチ検出の仕組みを示す模式図である。
【図８】図８は、タッチパネルＩＣ１８ｂが採用された場合におけるタッチ検出の仕組みを示す模式図である。
【図９】図９は、タッチパネルＩＣ１８がタッチパネルＩＣ１８ａである場合の各種信号のハイ／ロウを示す模式的なタイムチャートである。
【図１０】図１０は、信号選択回路及び電位選択回路の主要回路構成であって、第１ミューチュアル検出時の各構成の接続状態を示す図である。
【図１１】図１１は、信号選択回路及び電位選択回路の主要回路構成であって、セルフ検出時の各構成の接続状態を示す図である。
【図１２】図１２は、タッチパネルＩＣ１８がタッチパネルＩＣ１８ｂである場合の各種信号のハイ／ロウを示す模式的なタイムチャートである。
【図１３】図１３は、信号選択回路及び電位選択回路の主要回路構成であって、第２ミューチュアル検出時の各構成の接続状態を示す図である。
【図１４】図１４は、スペースにおける具体的な回路構成例を示す図である。
【発明を実施するための形態】
【０００８】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１は、実施形態に係るタッチ検出機能付き表示装置の概略断面構造を表す断面図である。図２は、表示装置を構成するＴＦＴ基板を模式的に示す平面図である。図３は、表示装置を構成する絶縁基板を模式的に示す平面図である。図１に示すように、タッチ検出機能付き表示装置は、タッチ検出機能付き表示部１０と、タッチパネルＩＣとを備えている。タッチパネルＩＣは、後述の通りインセル用のタッチパネルＩＣ１８ａとアウトセル用のタッチパネルＩＣ１８ｂのいずれかが採用可能である。タッチ検出機能付き表示部１０は、表示パネル２０と、表示パネルに搭載されたＤＤＩＣ（Display  Driver  Integrated  Circuit）１９とを備えている。表示パネルは、アレイ基板２と、このアレイ基板２の表面に垂直な方向に対向して配置された対向基板３と、アレイ基板２と対向基板３との間に挿設された液晶層６とを備える。ＤＤＩＣ１９は、表示パネルの制御部として機能する。
【００１０】
図１に示すように、アレイ基板２は、絶縁性を有する基板上にスイッチング素子としての複数のＴＦＴ（Ｔｈｉｎ  Ｆｉｌｍ  Ｔｒａｎｓｉｓｔｏｒ）を備えたＴＦＴ基板２１と、このＴＦＴ基板２１の上方にマトリックス状に配設された複数の画素電極２２と、ＴＦＴ基板２１と画素電極２２との間に設けられた複数の駆動電極ＣＯＭＬと、画素電極２２と駆動電極ＣＯＭＬとを絶縁する絶縁層２４と、を含む。ＴＦＴ基板２１の下側には、接着層６６を介して偏光板６５が設けられていてもよい。
【００１１】
図２に示すように、タッチ検出機能付き表示部１０は、画像を表示させるための表示領域１０ａと、表示領域１０ａの外側の額縁領域１０ｂとを有する。表示領域１０ａは、一対の長辺と一対の短辺とを有する矩形状である。額縁領域１０ｂは、表示領域１０ａの４辺を囲む枠状となっている。なお、表示領域１０ａと額縁領域１０ｂはかかる矩形状以外の構成も採用可能であり、四角形以外の多角形状や、円形や楕円形等の一部又は全部の周を曲線で形成する構成も採用可能である。一例として、隅部を凸円弧状とした矩形形状や、矩形形状の一部を内側に凹ませた構成も採用可能である。
【００１２】
また、ＴＦＴ基板２１は、非表示領域に一対のゲートドライバ１２と、ソースドライバ１３と、駆動回路部１４を備えている。表示パネル２０は、ゲートドライバ１２から供給される走査信号Ｖｓｃａｎに従って、１水平ラインずつ順次走査して表示を行う素子である。ＤＤＩＣ１９は、外部より供給された映像信号に基づいて、ゲートドライバ１２、ソースドライバ１３、駆動回路部１４及びタッチ検出部３０に対してそれぞれ制御信号を供給し、これらが互いに同期して動作するように制御する回路である。
【００１３】
ゲートドライバ１２は、ＤＤＩＣ１９から供給される制御信号に基づいて、タッチ検出機能付き表示部１０の表示駆動の対象となる１水平ラインを順次選択する機能を有している。
【００１４】
ソースドライバ１３は、ＤＤＩＣ１９から供給される制御信号に基づいて、タッチ検出機能付き表示部１０の各副画素ＳＰｉｘ（後述）に画素信号Ｖｐｉｘを供給する回路である。本実施形態では、ソースドライバ１３は、駆動回路部１４とＤＤＩＣ１９の間に設けられているが、ソースドライバ１３の一部または全部がＤＤＩＣ１９に形成される構成も採用可能である。
【００１５】
駆動回路部１４は、ＤＤＩＣ１９から供給される制御信号に基づいて、タッチ検出機能付き表示部１０の駆動電極ＣＯＭＬ（後述）に駆動信号Ｖｃｏｍを供給する回路である。
【００１６】
また、ＴＦＴ基板２１は、対向基板３よりも一部大きく形成されており、対向基板３と重ならない延出部ＳＡを備えている。該延出部ＳＡには、ＤＤＩＣ１９が設けられている。また、延出部ＳＡの端部にフレキシブル基板７２が接続されている。ＤＤＩＣ１９は、外部のホストＩＣ（図示しない）から供給された映像信号に基づいて、後述するゲート線ＧＣＬ及びソース線ＳＧＬ等に制御信号を出力する。なお、ＤＤＩＣ１９を延出部ＳＡではなくフレキシブル基板７２実装する構成も採用可能である。また、表示パネル２０は、外部の電源回路（図示しない）から電源の供給を受ける。当該電源を供給する配線として、本実施形態では、第１電位線ＥＬ１、第２電位線ＥＬ２及び第３電位線ＥＬ３が設けられている。この他、ＤＤＩＣ１９への電源供給等のための配線が設けられている（図示省略）。
【００１７】
タッチ検出機能付き表示部１０は、表示素子として液晶表示素子を用いている表示パネル２０に、タッチ入力を検出するタッチ検出装置であるタッチ検出機能（タッチ検出部３０）を内蔵した装置である。この種のタッチ検出機能付き表示装置はインセルタイプと呼ばれる。なお、表示パネル２０の上にタッチパネルを装着して構成されるタッチ検出機能付き表示装置をオンセルタイプと称する。また、表示パネル２０は、例えば、有機ＥＬ表示パネル、マイクロＬＥＤ表示装置、電気泳動型の表示パネルであってもよい。
【００１８】
複数の駆動電極ＣＯＭＬは、ＴＦＴ基板２１の表示領域１０ａに設けられており、表示領域１０ａの長辺に沿った方向（Ｙ方向）に延在している。また、駆動電極ＣＯＭＬは、表示領域１０ａの短辺に沿った方向（Ｘ方向）に、複数配列されている。駆動電極ＣＯＭＬは、例えば、ＩＴＯ（Ｉｎｄｉｕｍ  Ｔｉｎ  Ｏｘｉｄｅ）等の透光性を有する導電性材料が用いられる。
【００１９】
図２及び図３に例示するように、ゲートドライバ１２がＴＦＴ基板２１の額縁領域１０ｂの長辺側に配置される。また、ソースドライバ１３及びＤＤＩＣ１９は、例えばＴＦＴ基板２１の額縁領域１０ｂの延出部ＳＡに配置される。駆動回路部１４は、駆動電極ＣＯＭＬの延在方向の一方端部の近傍に配置されている。より好ましくは、駆動回路部１４は、表示領域１０ａとＤＤＩＣ１９の間に設けられている。
【００２０】
図１に示すように、対向基板３は、絶縁基板３１と、この絶縁基板３１の一方の面に形成されたカラーフィルタ３２とを含む。絶縁基板３１の他方の面には、タッチ検出部３０の検出電極として複数のタッチ検出電極ＴＤＬ（以下、単に検出電極ＴＤＬとも称する）が設けられている。また、検出電極ＴＤＬの上には保護層３８が設けられている。さらに、検出電極ＴＤＬの上方には、接着層３９を介して偏光板３５が設けられている。また、絶縁基板３１にはフレキシブル基板７１が接続されている。フレキシブル基板７１にはタッチパネルＩＣ１８が設けられ、額縁配線３７を介して検出電極ＴＤＬと接続される。
【００２１】
図３に示すように、複数の検出電極ＴＤＬは、表領域内に設けられており、表示領域１０ａの短辺に沿った方向（Ｘ方向）に延在し、表示領域１０ａの長辺に沿った方向（Ｙ方向）に複数配列される。各検出電極ＴＤＬは、メッシュ状の金属配線として構成される。検出電極ＴＤＬは、図３の点線Ａに示す箇所に設けられたスリットＳＬにより分離される。なお、検出電極ＴＤＬ間や検出電極ＴＤＬ内部にダミー電極部を設ける構成を採用することも可能である。ダミー電極部は、いずれの信号線に接続されることはなく、表示パネル２０の状態にかかわらず常に電気的に不定とされている。
【００２２】
図３に示すように、絶縁基板３１の額縁領域１０ｂに、検出電極ＴＤＬから引き出された額縁配線３７が複数設けられている。額縁配線３７は、額縁領域１０ｂの長辺に沿って延在して、フレキシブル基板７１と接続される。フレキシブル基板７１には、タッチパネルＩＣ１８が搭載されている。タッチパネルＩＣ１８は、後述する図５に示すタッチ検出部３０を含んでおり、検出電極ＴＤＬからの出力信号は額縁配線３７及びフレキシブル基板７１を介してタッチパネルＩＣ１８に供給される。なお、フレキシブル基板７１とフレキシブル基板７２を接続するフレキシブル基板７３が設けられており、タッチパネルＩＣ１８はこれらフレキシブル基板７１，７２，７３を介してＤＤＩＣ１９にも接続されている。
【００２３】
図１に示すように、アレイ基板２と対向基板３とは、シール６１を介して所定の間隔を設けて対向して配置される。アレイ基板２と対向基板３との間の空間に液晶層６が設けられる。液晶層６は、電界の状態に応じてそこを通過する光を変調するものであり、例えば、ＦＦＳ（フリンジフィールドスイッチング）を含むＩＰＳ（インプレーンスイッチング）等の横電界モードの液晶が用いられる。
【００２４】
次に表示パネル２０の表示動作について説明する。図４は、実施形態に係るタッチ検出機能付き表示部の画素配列を表す回路図である。ＴＦＴ基板２１には、図４に示す各副画素ＳＰｉｘの薄膜トランジスタ素子（以下、ＴＦＴ素子）Ｔｒ、各画素電極２２に画素信号Ｖｐｉｘを供給するソース線ＳＧＬ、各ＴＦＴ素子Ｔｒを駆動する駆動信号を供給するゲート線ＧＣＬ等の配線が形成されている。
【００２５】
図４に示す表示パネル２０は、マトリックス状に配列された複数の副画素ＳＰｉｘを有している。副画素ＳＰｉｘは、それぞれＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Ｍｅｔａｌ  Ｏｘｉｄｅ  Ｓｅｍｉｃｏｎｄｕｃｔｏｒ）型のＴＦＴで構成されている。液晶素子ＬＣは、ＴＦＴ素子Ｔｒのドレインに接続された画素電極２２、当該画素電極２２に対向して設けられる駆動電極ＣＯＭＬ、及び、これら画素電極２２と駆動電極ＣＯＭＬとの間に生じる電界によって配向状態を変化させる液晶層６によって構成される。
【００２６】
副画素ＳＰｉｘのＴＦＴ素子Ｔｒは、ゲート線ＧＣＬにより、同じ行に属する他の副画素ＳＰｉｘのＴＦＴ素子Ｔｒと互いに接続されている。また、ゲート線ＧＣＬは、ゲートドライバ１２と接続され、ゲートドライバ１２より走査信号Ｖｓｃａｎが供給される。副画素ＳＰｉｘのＴＦＴ素子Ｔｒは、ソース線ＳＧＬにより、同じ列に属する他の副画素ＳＰｉｘのＴＦＴ素子Ｔｒと互いに接続されている。また、ソース線ＳＧＬは、ソースドライバ１３と接続され、ソースドライバ１３より画素信号Ｖｐｉｘが供給される。さらに、互いに隣り合う複数列の副画素ＳＰｉｘは、１本の駆動電極ＣＯＭＬを共有する。図４中では便宜的に３列の副画素ＳＰｉｘが１つの駆動電極ＣＯＭＬを共有しているが、２〜２００画素列程度が一つの駆動電極ＣＯＭＬを共有する。各駆動電極ＣＯＭＬは、駆動回路部１４と接続されている。なお、図４におけるゲートドライバ１２、ソースドライバ１３及び駆動回路部１４はあくまで表示パネル２０の各構成との接続関係を示すための模式的な図示であり、配置関係、形状、大きさ等の物理的な特徴を示すためのものでない。
【００２７】
当該表示パネル２０における表示駆動について説明する。ゲートドライバ１２は、ゲート線ＧＣＬを順次走査するように駆動する。ゲートドライバ１２は、ゲート線ＧＣＬを介して、走査信号Ｖｓｃａｎを副画素ＳＰｉｘのＴＦＴ素子Ｔｒのゲートに供給する。これにより、ある１行（１水平ライン）に属する副画素ＳＰｉｘが表示駆動の対象として順次選択される。このとき、ソースドライバ１３は、画素信号Ｖｐｉｘを、ソース線ＳＧＬを介して当該１水平ラインに属する副画素ＳＰｉｘに供給する。表示パネル２０では、かかる駆動を繰り返すことにより、１水平ラインずつ表示が行われるようになっている。また、この表示動作を行う際、駆動回路部１４は、全ての駆動電極ＣＯＭＬに対して表示用の駆動信号Ｖｃｏｍｄを印加する。なお、本実施形態においては、表示用の駆動信号として、直流の駆動信号ＶｃｏｍＤＣが採用されている。これに限らず、当該駆動信号として交流信号を採用することも可能である。
【００２８】
図１に示すカラーフィルタ３２は、例えば赤（Ｒ）、緑（Ｇ）、青（Ｂ）の３色に着色されたカラーフィルタの色領域が周期的に配列されていてもよい。上述した図４に示す各副画素ＳＰｉｘに、Ｒ、Ｇ、Ｂの３色の色領域３２Ｒ、３２Ｇ、３２Ｂが１組として対応付けられ、３色の色領域３２Ｒ、３２Ｇ、３２Ｂに対応する副画素ＳＰｉｘを１組として画素Ｐｉｘが構成される。図１に示すように、カラーフィルタ３２は、ＴＦＴ基板２１と垂直な方向において、液晶層６と対向する。なお、カラーフィルタ３２は、異なる色に着色されていれば、他の色の組み合わせであってもよい。また、カラーフィルタ３２は、３色の組み合わせに限定されず、４色以上の組み合わせであってもよい。
【００２９】
図１及び図２に示す複数の駆動電極ＣＯＭＬは、タッチ検出機能付き表示部１０を表示パネル２０として機能させる場合に、全ての副画素ＳＰｉｘに対する共通電極として機能する。また、駆動電極ＣＯＭＬは、タッチ検出機能付き表示部１０をタッチ検出部３０として機能させる場合に、タッチ検出を行う際の駆動電極としても機能する。図５は、実施形態に係るタッチ検出機能付き表示部の駆動電極及び検出電極ＴＤＬの一構成例を表す斜視図である。タッチ検出部３０は、アレイ基板２に設けられた複数の駆動電極ＣＯＭＬと、対向基板３に設けられた検出電極ＴＤＬにより構成されている。
【００３０】
各駆動電極ＣＯＭＬは、図５の前後方向に延在している。各検出電極ＴＤＬは、駆動電極ＣＯＭＬと交差する方向に延在している。そして、検出電極ＴＤＬは、ＴＦＴ基板２１の表面に対する垂直な方向において、駆動電極ＣＯＭＬと対向している。このように複数の検出電極ＴＤＬ及び複数の駆動電極ＣＯＭＬが互いに交差状に設けられることにより、表示領域１０ａ内に静電容量式タッチセンサがマトリックス状に配置される。各検出電極ＴＤＬは、タッチパネルＩＣ１８に接続される。
【００３１】
タッチ検出機能付き表示部１０をタッチ検出部３０として機能させる場合には、図５に示す如く、各駆動電極ＣＯＭＬに順次タッチ駆動用の駆動信号Ｖｃｏｍｔが供給される。これにより、駆動信号Ｖｃｏｍｔが供給された駆動電極ＣＯＭＬと検出電極ＴＤＬとの間で静電容量が発生する。そして、かかる静電容量に基づく電気信号が検出電極ＴＤＬから出力される。ここで、上記静電容量は、例えば人の手指等の導体が近接することによってその大きさを変化させ、これによって出力される電気信号も変化する。すなわち、かかる変化を伴う電気信号がタッチ検出信号ＶｄｅｔとしてタッチパネルＩＣ１８に出力されることとなる。このように、各駆動電極ＣＯＭＬと検出電極ＴＤＬの間の容量変化によってタッチを検出する方式を、相互容量方式（ミューチュアル方式）という。
【００３２】
本実施形態のタッチ検出部３０では、各駆動電極ＣＯＭＬと各検出電極ＴＤＬとの間の容量の変化に基づくタッチ検出信号Ｖｄｅｔが出力されることにより、１本の駆動電極ＣＯＭＬごとにミューチュアル検出が行われるようになっている。なお、タッチ検出信号用の駆動信号Ｖｃｏｍｔは、１または複数のパルス波が好ましい。
【００３３】
また、本実施形態のタッチ検出部３０は、相互容量方式とは異なるタイプのタッチ検出、より具体的には、自己容量方式（セルフ方式）によるタッチ検出も可能となっている。当該自己容量方式においては、本実施形態では、１または複数の駆動電極ＣＯＭＬあるいはすべての駆動電極ＣＯＭＬに同時にセルフタッチ検出用の駆動信号Ｔｘ＿ｓｅｌｆを供給することで指と駆動電極ＣＯＭＬとの間の容量を発生させる。そして、当該容量の変化によって駆動電極ＣＯＭＬに供給される当該駆動信号自体の大きさが変化し、当該変化をタッチパネルＩＣ１８によって検出することによってタッチが検出される。かかる構成であるため、セルフタッチ検出用の駆動信号（以下、セルフ信号ともいう）Ｔｘ＿ｓｅｌｆはタッチパネルＩＣ１８から駆動電極ＣＯＭＬに直接供給される。
【００３４】
図６は、駆動回路部１４の及び駆動回路部１４に接続されるその他の回路等を示すブロック図である。駆動回路部１４は、走査回路１４ａ、信号選択回路１４ｂ、電位選択回路１４ｃ、セルフスイッチ１４ｄ等を備える。
【００３５】
走査回路１４ａは、所定の周期で駆動電極ＣＯＭＬを走査する。すなわち走査回路１４ａは、シフトレジスタ信号Ｓ／Ｒを出力するための処理を行う。具体的には、走査回路１４ａは、例えばシフトレジスタを含む回路であり、走査信号Ｓ／Ｒを信号選択回路１４ｂに向けて出力する。当該走査信号Ｓ／Ｒは、シフトレジスタ回路によって選択される別の信号であってもよく、シフトレジスタ回路からの信号そのものであってもかまわない。当該走査信号Ｓ／Ｒは信号選択回路１４ｂで用いられ、電位選択回路１４ｃに対する第１信号ＶＣＯＭＳＥＬの伝送対象を決定する。
【００３６】
信号選択回路１４ｂは、電位選択回路１４ｃと各駆動電極ＣＯＭＬの接続状態を定める電位選択信号を電位選択回路１４ｃに出力するための処理を行う。具体的には、信号選択回路１４ｂは、走査回路１４ａ、ＤＤＩＣ１９及びタッチパネルＩＣ１８に接続されている。信号選択回路１４ｂは、ＤＤＩＣ１９からの第１信号ＶＣＯＭＳＥＬと、タッチパネルＩＣ１８からの第２信号Ｔｘ＿ｏｕｔとを受信可能となっているが、ＤＤＩＣ１９からの種別信号ＳＤＧＰＯのハイ／ロウに応じて、いずれか一方の信号を選択し、他方の信号を遮断する。また、信号選択回路１４ｂは、上記複数の回路から入力される信号に基づいて電位選択信号を生成し、電位選択回路１４ｃに出力する。
【００３７】
電位選択回路１４ｃは、信号選択回路１４ｂからの出力に応じて駆動電極ＣＯＭＬの電位を制御する。具体的には、電位選択回路１４ｃは、電源回路１７から高駆動電位ＴＰＨ、低駆動電位ＴＰＬ及び非駆動電位ＶｃｏｍＤＣの供給を受けており、上記電位選択信号に基づいて、各駆動電極ＣＯＭＬにいずれかの電位を供給する。
【００３８】
低駆動電位ＴＰＬを基準として、高駆動電位ＴＰＨの電位は低駆動電位ＴＰＬよりも高く、非駆動電位ＶＣＯＭＤＣの電位は低駆動電位ＴＰＬの電位はよりも低い。より具体的には、低駆動電位ＴＰＬを０Ｖとし、高駆動電位ＴＰＨを正電位、非駆動電位ＶＣＯＭＤＣの電位を負電位とする。なお、非駆動電位ＶＣＯＭＤＣを基準として、高駆動電位ＴＰＨの電位は非駆動電位ＶＣＯＭＤＣよりも高く、低駆動電位ＴＰＬの電位は非駆動電位ＶＣＯＭＤＣよりも低いとする構成も採用可能である。電源回路１７は、図示しない電源部から供給される電力に基づいて、高駆動電位ＴＰＨ、低駆動電位ＴＰＬ、非駆動電位ＶＣＯＭＤＣ、高電位ＶＧＨ、低電位ＶＧＬ等の各種の電位に対応した電圧を生じさせる。
【００３９】
セルフスイッチ１４ｄは、セルフ検出に関する構成である。具体的には、セルフスイッチ１４ｄは、セルフ検出を行うタイミングで各駆動電極ＣＯＭＬとタッチパネルＩＣ１８を直接接続し、当該タッチパネルＩＣ１８からの出力によって各駆動電極ＣＯＭＬを駆動する。
【００４０】
本実施形態のタッチ検出機能付き表示装置１は、タッチ検出機能付き表示部１０にインセル用のタッチパネルＩＣ１８ａとアウトセル用のタッチパネルＩＣ１８ｂのいずれかを搭載して構成されている。図７に示す実施例は、タッチパネルＩＣ１８ａが搭載されている。図８に示す実施例は、タッチパネルＩＣ１８ｂが搭載されている。タッチパネルＩＣ１８ａ，１８ｂのいずれも、相互容量方式によるタッチ検出を可能とするとともに、自己容量方式によるタッチ検出も可能となっている。なお、タッチパネルＩＣ１８ａとタッチパネルＩＣ１８ｂを包括して記載する場合、タッチパネルＩＣ１８時歳している。
【００４１】
なお、以下に詳述するが、タッチパネルＩＣ１８ａを搭載している場合、ＤＤＩＣ１９から出力される第１信号ＶＣＯＭＳＥＬに基づいて相互容量方式のタッチ検出が実行されると共に、タッチパネルＩＣ１８ａから出力されるセルフタッチ検出用の駆動信号Ｔｘ＿ｓｅｌｆを用いて自己容量方式のタッチ検出が実行される。また、タッチパネルＩＣ１８ｂを搭載している場合、タッチパネルＩＣ１８ｂから出力される第２信号Ｔｘ＿ｏｕｔに基づいて相互容量方式のタッチ検出が実行されると共に、タッチパネルＩＣ１８ｂから出力されるセルフタッチ検出用の駆動信号Ｔｘ＿ｓｅｌｆを用いて自己容量方式のタッチ検出が実行される。自己容量方式によるタッチ検出は、タッチパネルＩＣ１８ａを採用した場合でもタッチパネルＩＣ１８ｂを採用した場合でもそのパネル側の駆動は実質的に同じである。
【００４２】
以下では、第１信号ＶＣＯＭＳＥＬによる相互容量方式によるタッチ検出を第１ミューチュアル検出と称し、第２信号Ｔｘ＿ｏｕｔによる相互容量方式によるタッチ検出を第２ミューチュアル検出と称する。また、駆動信号Ｔｘ＿ｓｅｌｆによる自己容量方式によるタッチ検出をセルフ検出と称する。
【００４３】
タッチパネルＩＣ１８ａは、第２信号Ｔｘ＿ｏｕｔを出力不可能であるか又は第２信号Ｔｘ＿ｏｕｔを出力できても信号のハイ／ロウの識別が必ずしも十分に行えない程度の出力の回路である。また、当該タッチパネルＩＣ１８ａは、駆動回路部１４によって順次選択される各駆動電極ＣＯＭＬに供給される駆動信号を、検出電極ＴＤＬを介してタッチ検出信号として受信可能な回路である。すなわち、当該タッチパネルＩＣ１８ａは、駆動回路部１４によって形成される駆動信号に基づくタッチ検出信号や、或いは第２信号Ｔｘ＿ｏｕｔに同期しない駆動信号に基づくタッチ検出信号を受信可能なＩＣである。かかるタッチパネルＩＣ１８ａは、主としてタッチ検出のための構成がタッチ検出機能付き表示部１０に組み込まれた所謂インセルタイプのタッチパネルＩＣとして採用されている。当該インセルタイプにおいては、タッチパネルとしての駆動電極ＣＯＭＬの駆動を表示パネル２０の構成を用いて実行できる。このため、インセルタイプのタッチパネルＩＣそれ自体は、相互容量方式のタッチ検出において駆動電極ＣＯＭＬを駆動する構成を有する必要はない。タッチパネルＩＣ１８ａが採用されている場合、信号選択回路１４ｂは、図７で模式的に示すように、相互容量方式のタッチ検出においてＤＤＩＣ１９内で生成される第１信号ＶＣＯＭＳＥＬを一方の信号とする。図７では、タッチ検出の駆動対象とされた１つの駆動電極ＣＯＭＬに符号Ｔｘを付している。
【００４４】
一方、タッチパネルＩＣ１８ｂは、所謂アウトセルタイプ（外付けタイプ）のタッチパネルＩＣとして採用されている。アウトセルタイプのタッチパネルは、一般に表示装置とは別の基板に駆動電極ＣＯＭＬと検出電極ＴＤＬが設けられ、これらにタッチパネルＩＣに直接接続されており、当該タッチパネルＩＣの駆動によってタッチ検出機能を奏する。かかるアウトセル用のタッチパネルＩＣは、タッチ検出にのみ用いられる駆動電極ＣＯＭＬに駆動信号を供給するものであり、その信号強度は比較的小さい。この種のタッチパネルＩＣを図８に示すようにインセルタイプのタッチ検出機能付き表示部１０に採用すると、タッチパネルＩＣからの駆動信号に対する駆動電極ＣＯＭＬ側（表示部側）の容量が大きく、駆動電極ＣＯＭＬに十分な駆動信号を供給することができない。また、当該タッチパネルＩＣ１８ｂは、上述の如きアウトセルタイプのタッチパネルといった単純な構成に用いられるものであるため、当該タッチパネルＩＣ１８ｂから出力される駆動信号に従って駆動電極ＣＯＭＬを駆動させ、その結果として得られる検出信号しか受信できない。
【００４５】
本実施形態のタッチ検出機能付き表示部１０は、かかるアウトセルタイプのタッチパネルＩＣであるタッチパネルＩＣ１８ｂを搭載する場合であっても、インセルタイプのタッチパネルとＩＣ１８ａを採用した場合と同様のタッチ検出が可能となっている。タッチパネルＩＣ１８ｂが採用されている場合、信号選択回路１４ｂは、図８で模式的に示すように、相互容量方式のタッチ検出においてタッチパネルＩＣ１８から出力される第２信号Ｔｘ＿ｏｕｔを一方の信号とする。
【００４６】
本実施形態のタッチ検出機能付き表示部１０は、上記いずれのタッチパネルＩＣ１８（１８ａまたは１８ｂ）であっても、タッチ検出機能付き表示部１０に設けられた複数の駆動電極ＣＯＭＬを用いた相互容量方式のタッチ検出が可能となっている。また、本実施形態のタッチ検出機能付き表示パネル１は、上記いずれのタッチパネルＩＣ１８であっても当該タッチパネルからの駆動信号に基づいた自己容量方式のタッチ検出が可能となっている。なお、当該セルフタッチ検出は、表示領域１０ａにおけるタッチの有無のみを検出するもの（座標までを検出するものではない）であり、比較的信号強度が弱い場合でも十分な検出が行える。
【００４７】
以下、図を参照しながらタッチ検出機能付き表示部１０の駆動回路部１４の構成について詳述し、その後、タッチパネルＩＣ１８ａ，１８ｂの各々を搭載した場合の具体的な駆動について詳述する。
【００４８】
図７に示す如く、本実施形態のタッチ検出機能付き表示部１０は、第２基板の延出部ＳＡに駆動回路部１４とＤＤＩＣ１９とを備えている。駆動回路部１４は、Ｙ方向で見て表示領域１０ａの複数の駆動電極ＣＯＭＬとＤＤＩＣ１９との間に設けられている。
【００４９】
ＤＤＩＣ１９は、タッチパネルＩＣ１８ａ、１８ｂからの同期信号ＴＳＨＤを受信する。同期信号ＴＳＨＤは、タッチパネルＩＣ１８とＤＤＩＣ１９を同期させるための信号である。また、ＤＤＩＣ１９は、タッチパネルＩＣ１８ａ、１８ｂからの信号ＥＸＶＣＯＭＳＥＬを受信する。信号ＥＸＶＣＯＭＳＥＬは、ＤＤＩＣ１９から第１信号ＶＣＯＭＳＥＬを出力させるための信号である。第１信号ＶＣＯＭＳＥＬは、各駆動電極ＣＯＭＬで第１ミューチュアル検出を実施するための源信となる信号であり、信号選択回路１４ｂに出力される。また、当該一部のタッチ検出に際して、ＤＤＩＣ１９は、信号ＳＥＬＦＥＮを信号選択回路１４ｂ及び電位選択回路１４ｃに出力する。信号ＳＥＬＦＥＮは、当該一部のタッチ検出に際して用いられる信号である。
【００５０】
また、ＤＤＩＣ１９は、スタート信号ＳＤＳＴ及びクロック信号ＳＤＣＫを走査回路１４ａに入力する。スタート信号ＳＤＳＴは、タッチ検出（後述する第１ミューチュアル検出、第２ミューチュアル検出、セルフ検出を含む）の開始タイミングを示す信号である。クロック信号ＳＤＣＫは、タッチ検出期間に駆動回路部１４及び駆動回路部１４と接続されている各構成の動作タイミングを制御するためのクロック信号である。
【００５１】
また、ＤＤＩＣ１９は、信号ＣＯＭＦＬを走査回路１４ａに入力する。信号ＣＯＭＦＬは、第１ミューチュアル検出に際して用いられる信号である。
【００５２】
また、ＤＤＩＣ１９は、信号選択回路１４ｂに種別信号ＳＤＧＰＯを供給する。種別信号ＳＤＧＰＯは、タッチパネルＩＣ１８の種類（タッチパネルＩＣ１８ａ又はタッチパネルＩＣ１８ｂ）に応じてハイ／ロウを切り替えて設定される信号である。種別信号ＳＤＧＰＯを出力するＤＤＩＣ１９は、信号選択回路１４ｂの動作を制御する制御回路として機能する。
【００５３】
ＤＤＩＣ１９は、タッチパネルＩＣ１８の種類（タッチパネルＩＣ１８ａ又はタッチパネルＩＣ１８ｂ）に応じて第１ミューチュアル検出における種別信号ＳＤＧＰＯのハイ／ロウを切り替える。実施形態では、ＤＤＩＣ１９は、タッチパネルＩＣ１８ａが採用されている場合に種別信号ＳＤＧＰＯをロウとし、タッチパネルＩＣ１８ｂが採用されている場合に種別信号ＳＤＧＰＯをハイとする。当該種別信号ＳＤＧＰＯの決定は、各タッチパネルＩＣ（タッチパネルＩＣ１８ａ又はタッチパネルＩＣ１８ｂ）からのＤＤＩＣ１９に供給される種別信号に基づいて選択可能としてもよいし、予め採用するタッチパネルＩＣ１８が決まっていることから、他の手段によってＤＤＩＣ１９内で対応する種別信号を生成、出力する構成であっても構わない。
【００５４】
駆動回路部１４の走査回路１４ａは、シフトレジスタ機能を有しており、当該シフトレジスタ機能に基づいて信号選択回路１４ｂに順次信号ＣＯＭＦＬを出力する。
【００５５】
駆動回路部１４の信号選択回路１４ｂは、ＤＤＩＣ１９からの種別信号ＳＤＧＰＯがロウである場合、すなわちタッチパネルＩＣ１８ａが採用されている場合に第１信号ＶＣＯＭＳＥＬを第１ミューチュアル検出における駆動信号の源信とする。また信号選択回路１４ｂは、ＤＤＩＣ１９からの種別信号ＳＤＧＰＯがハイである場合、すなわちタッチパネルＩＣ１８ｂが採用されている場合に第２信号Ｔｘ＿ｏｕｔを第２ミューチュアル検出における駆動信号の源信とする。
【００５６】
また、信号選択回路１４ｂは、迂回配線ＭＬ１によってタッチパネルＩＣ１８と直接接続されている。より具体的には、信号選択回路１４ｂとタッチパネルＩＣ１８の間には、タッチパネルＩＣ１８の種類に関わらずこれらを接続する迂回配線ＭＬ１が設けられている。当該迂回配線ＭＬ１は、フレキシブル基板７１、７２に亘って設けられており、信号選択回路１４ｂとタッチパネルＩＣ１８とを、ＤＤＩＣ１９等を介さずに接続している。このように、検出回路（タッチパネルＩＣ１８）と信号選択回路１４ｂは、迂回配線ＭＬ１によって走査回路１４ａを介することなく直接接続されている。
【００５７】
また、信号選択回路１４ｂは、上述の如く第１信号又は第２信号からなる入力信号に基づいて電位選択信号Ｓｉｇを生成し、電位選択回路１４ｃに出力する。電位選択回路１４ｃには、電源回路１７から高駆動電位ＴＰＨ、低駆動電位ＴＰＬ及び非駆動電位ＶＣＯＭＤＣが供給されており、信号選択回路１４ｂからの電位選択信号に基づいてのいずれかを各駆動電極ＣＯＭＬに供給する。
【００５８】
また、迂回配線ＭＬ１の中途部には、分岐配線ＭＬ２が設けられており、当該分岐配線はセルフスイッチに接続されている。セルフスイッチは、駆動電極ＣＯＭＬと電位選択回路１４ｃの間に設けられており、当該セルフスイッチの出力線は、電位選択回路１４ｃの出力線に接続されている。電位選択回路１４ｃの出力線は駆動電極ＣＯＭＬに接続されている。このように、駆動電極ＣＯＭＬと検出回路（タッチパネルＩＣ１８）は、分岐配線ＭＬ２を介して信号選択回路１４ｂ及び電位選択回路１４ｃを介することなく接続されている。分岐配線ＭＬ２の一方端は迂回配線ＭＬ１に接続されており、他方端は、当該検出回路と駆動電極の接続状態を制御するスイッチ（セルフスイッチ１４ｄ）に接続されている。
【００５９】
（タッチパネルＩＣ１８ａを搭載した表示パネル）
以下、駆動回路部１４による駆動電極ＣＯＭＬの制御について、タッチパネルＩＣ１８ａを搭載した構成について説明する。かかる構成では、第１ミューチュアル検出とセルフ検出が実施される。
【００６０】
図９は、タッチパネルＩＣ１８がタッチパネルＩＣ１８ａである場合の各種信号のハイ／ロウを示す模式的なタイムチャートである。図１０は、信号選択回路１４ｂ及び電位選択回路１４ｃの主要回路構成であって、第１ミューチュアル検出時の各構成の接続状態を示す図である。
【００６１】
タッチパネルＩＣ１８ａが設けられたタッチ検出機能付き表示装置１は、表示期間と、第１ミューチュアル検出期間又はセルフ検出期間とを交互に繰り返すよう動作する。第１ミューチュアル検出期間には、駆動電極ＣＯＭＬと検出電極ＴＤＬの相互静電容量に基づいたタッチ検出（第１ミューチュアル検出）が行われる。セルフ検出期間には、自己静電容量に基づいたタッチ検出（セルフ検出）が行われる。図９では、１回の表示期間を挟んで第１ミューチュアル検出期間とセルフ検出期間が交互に行われているパターンを例示しているが、第１ミューチュアル検出期間又はセルフ検出期間をより多く行ってもよい。
【００６２】
なお、図１０では、信号選択回路１４ｂのうち、第１ミューチュアル検出において駆動対象となる駆動電極Ｔｘに係る構成を二点鎖線で囲い、（ＴＸｎ）の文字列を付している。また、駆動電極Ｔｘに隣接し、信号選択回路１４ｂのうち、当該タイミングでは駆動しない駆動電極ＣＯＭＬに係る構成に（ＴＸ（ｎ＋１））の文字列を付している。（ＴＸ（ｎ＋１））の文字列が付された信号選択回路１４ｂに含まれる構成は、（ＴＸｎ）の文字列が付された信号選択回路１４ｂに含まれる構成と同様である。また、図示を省略しているが、実施形態では、信号選択回路１４ｂは、駆動電極ＣＯＭＬごとにこの二点鎖線で囲われた構成を有している。以下では、信号選択回路１４ｂとして、当該ＴＸｎに係る構成を中心に説明する。
【００６３】
駆動電極Ｔｘと信号選択回路１４ｂの間には、電位選択回路１４ｃが設けられている。電位選択回路１４ｃは、高駆動電位ＴＰＨの第１電位線ＥＬ１と、低駆動電位ＴＰＬの第２電位線ＥＬ２と、非駆動電位ＶＣＯＭＤＣの第３電位線ＥＬ３とを備えている。また、電位選択回路１４ｃは、駆動電極Ｔｘと第１電位線ＥＬ１との間にスイッチＳＷ１を備え、駆動電極Ｔｘと第２電位線ＥＬ２との間にスイッチＳＷ２を備え、駆動電極Ｔｘと第３電位線ＥＬ３の間にスイッチＳＷ５を備えている。これらスイッチＳＷ１、ＳＷ２、ＳＷ５の開閉は、信号選択回路１４ｂからの出力に基づく。
【００６４】
第１ミューチュアル検出では、電位選択回路１４ｃのスイッチＳＷ１及びスイッチＳＷ２が信号選択回路１４ｂからの電位選択信号に応じて交互に開閉する。これによって、駆動電極Ｔｘの電位が高駆動電位ＴＰＨと低駆動電位ＴＰＬとに交互に振られてパルス波を形成し、当該複数のパルス波が駆動信号となって駆動電極Ｔｘに供給される。これにより、当該駆動電極Ｔｘの位置に対応した座標での第１ミューチュアル検出が可能になる。
【００６５】
具体的には、スイッチＳＷ１及びスイッチＳＷ２は、信号選択回路１４ｂに設けられたスイッチＳＷ３が開くことで、信号選択回路１４ｂから第１信号ＶＣＯＭＳＥＬに基づく電位選択信号が供給される。より具体的には、第１信号ＶＣＯＭＳＥＬはパルス波であり、また、当該第１信号ＶＣＯＭＳＥＬに基づく電位選択信号は、スイッチＳＷ３からスイッチＳＷ１及びスイッチＳＷ２に供給される過程で一方が他方に対して逆相となる。これによって、第１スイッチと第２スイッチは互いに交互に開閉する。電位選択信号がハイ又はロウの一方である場合、スイッチＳＷ１又はスイッチＳＷ２の一方は回路を接続し、スイッチＳＷ１又はスイッチＳＷ２の他方は回路を遮断する。電位選択信号がハイ又はロウの他方である場合、スイッチＳＷ１又はスイッチＳＷ２の他方は回路を接続し、スイッチＳＷ１又はスイッチＳＷ２の一方は回路を遮断する。
【００６６】
これによって、駆動電極Ｔｘには高駆動電位ＴＰＨと低駆動電位ＴＰＬが交互に供給され、これによって駆動信号Ｖｃｏｍが形成される。当該駆動信号は駆動電極Ｔｘに供給され、検出電極ＴＤＬとの間に静電容量を形成し、また、検出電極ＴＤＬからタッチパネルＩＣ１８ａに検出信号として出力される。あるいは、信号選択回路１４ｂに供給される第１信号が信号選択回路１４ｂを介して電位選択回路１４ｃに供給されると共に当該電位選択回路１４ｃによって増幅されて駆動信号となり、当該駆動信号が駆動電極Ｔｘに出力される、とみることもできる。
【００６７】
また、スイッチＳＷ３は、信号ＳＲ，ＸＳＲの供給に応じて開く。信号ＳＲ，ＸＳＲは、走査回路１４ａにてシフトレジスタ信号Ｓ／ＲによってスイッチＳＷ４が開くことで、信号ＣＯＭＦＬが信号選択回路１４ｂに供給され、当該信号ＣＯＭＦＬに基づいて生成される。信号ＳＲは、信号ＣＯＭＦＬの電位に対応する信号である。信号ＸＳＲは、信号ＣＯＭＦＬの電位を反転した信号である。図１０等の端部Ｐ１と端部Ｐ２は、実際には接続されている。また、図１０等の端部Ｐ１と端部Ｐ３は、実際には接続されている。
【００６８】
また、このとき、電位選択回路１４ｃのスイッチＳＷ５は、ＮＯＲ回路Ｐ４に対して種別信号ＳＤＧＰＯ及び信号ＳＥＬＦＥＮのどちらも供給されない（どちらもロウである）場合、ＮＯＲ回路Ｐ４からの信号がスイッチＳＷ５のゲートに供給されることで開く。ただし、スイッチＳＷ５のゲートとＮＯＲ回路Ｐ４との間には、スイッチＳＷ３と逆相のスイッチＳＷ６が設けられている。すなわちスイッチＳＷ６は、スイッチＳＷ３が閉じている場合に開く。このため、駆動電極Ｔｘの電位が第１信号ＶＣＯＭＳＥＬに応じて振られるタイミングでは、信号ＳＲ，ＸＳＲが供給されてスイッチＳＷ３が開いていることから、スイッチＳＷ６が回路を遮断する。スイッチＳＷ６が回路を遮断する場合、信号ＳＲに応じて回路を接続するスイッチＳＷ６１が動作し、低電位ＶＧＬがスイッチＳＷ５のゲートに供給される。なお、スイッチＳＷ６，ＳＷ６１とスイッチＳＷ５との間では、信号が一度反転する。従って、低電位ＶＧＬが反転してハイの信号がスイッチＳＷ５に与えられる。スイッチＳＷ５はＰ−ｃｈスイッチである。これによって、スイッチＳＷ５は、駆動電極Ｔｘと第３電位線ＥＬ３との接続経路を遮断する。
【００６９】
この点、駆動電極（ＴＸ（ｎ＋１））に対応する信号選択回路１４ｂ（ＴＸ（ｎ＋１））では、走査回路１４ａからの信号ＣＯＭＦＬが供給されず、スイッチＳＷ３をオンする信号ＳＲ，ＸＳＲが生成されない。一方で、スイッチＳＷ６は回路を接続する。このため、駆動電極Ｔｘの駆動タイミングで駆動されない駆動電極ＣＯＭＬのスイッチＳＷ５１は、駆動電極Ｔｘと第３電位線ＥＬ３との接続経路を接続する。これによって、駆動電極Ｔｘの駆動タイミングで駆動されない駆動電極ＣＯＭＬの電位が非駆動電位ＶＣＯＭＤＣになる。なお、スイッチＳＷ６が駆動電極ＣＯＭＬと第３電位線ＥＬ３との接続経路を接続する場合、スイッチＳＷ６１を介した接続経路は遮断されている。なお、スイッチＳＷ５１は、図１０の駆動電極Ｔｘに隣接する駆動電極ＣＯＭＬに対応して設けられるスイッチＳＷ５である。スイッチＳＷ５１に対して接続される電気的構成は、スイッチＳＷ５と同様である。駆動電極（ＴＸ（ｎ＋２））に対応する信号選択回路１４ｂ（ＴＸ（ｎ＋２））と接続されるスイッチＳＷ５２に対して接続される電気的構成についても、スイッチＳＷ５１と同様である。
【００７０】
上述の如く、信号ＳＲ，ＸＳＲの生成の有無は、走査回路１４ａのシフトレジスタの動作に対応する。第１ミューチュアル検出において、選択された駆動電極Ｔｘの電位を制御する信号選択回路１４ｂ（ＴＸｎ）では、走査回路１４ａからの信号ＣＯＭＦＬが供給され、シフトレジスタ信号Ｓ／Ｒに応じて信号ＳＲ，ＸＳＲが生成される。一方、駆動電極Ｔｘの駆動タイミングで駆動されない駆動電極ＣＯＭＬの電位を制御する信号選択回路１４ｂ（ＴＸ（ｎ＋１）等）では、走査回路１４ａからの信号ＣＯＭＦＬが供給されずシフトレジスタ信号Ｓ／Ｒに応じた信号ＳＲ，ＸＳＲが生成されない。より具体的には、この場合、信号ＳＲ，ＸＳＲが供給される配線にはＶＧＬに基づく信号が供給されることとなり、上述の如き回路駆動を生じさせない。
【００７１】
また、スイッチＳＷ１及びスイッチＳＷ２のゲートに接続されている信号線には、タッチパネルＩＣ１８ａから延在する迂回配線ＭＬ１が合流している。また、迂回配線ＭＬ１には、スイッチＳＷ１及びスイッチＳＷ２との間にレベルシフタＬ／Ｓが設けられており、当該タッチパネルＩＣ１８ａからの出力を増幅して各スイッチＳＷ１、ＳＷ２に出力する。当該出力電位は高電位ＶＧＨ／低電位ＶＧＬが好ましい。また、タッチパネルＩＣ１８ａとレベルシフタＬ／Ｓとの間にはスイッチＳＷ１０が介在する。また、当該信号線と迂回配線ＭＬ１との間にはスイッチＳＷ１１が介在する。スイッチＳＷ１０及びスイッチＳＷ１１は、種別信号ＳＤＧＰＯがハイである場合に経路を接続するよう動作するが、第１ミューチュアル検出では、種別信号ＳＤＧＰＯはロウの状態が維持される。このため、第１ミューチュアル検出では、タッチパネルＩＣ１８ａから迂回配線ＭＬ１を介して供給される信号に基づくスイッチＳＷ１及びスイッチＳＷ２の動作は生じない。
【００７２】
また、スイッチＳＷ１のゲートに接続されている信号線には、スイッチＳＷ１に回路を遮断させる信号として機能する低電位ＶＧＬの供給源が接続されている。ただし、当該信号線と当該供給線との間にはスイッチＳＷ１２が介在する。スイッチＳＷ１２は、種別信号ＳＤＧＰＯ又は信号ＣＯＭＦＬに基づいて生成される信号ＸＳＲＧＰＯに応じて回路を接続する。なお、本実施形態のスイッチＳＷ１は高電位で遮断されるスイッチ（Ｐ−ｃｈスイッチ）である。低電位ＶＧＬからの信号は、スイッチＳＷ１２とスイッチＳＷ１との間でいったん反転する。第１ミューチュアル検出の場合、信号ＣＯＭＦＬに基づいて生成される信号ＸＳＲＧＰＯに応じて、スイッチＳＷ１２は回路を遮断する。図１０等の端子Ｐ７と端子Ｐ１０は、実際には接続されている。また、図１０等の端子Ｐ９と端子Ｐ８は、実際には接続されている。
【００７３】
また、スイッチＳＷ２のゲートに接続されている信号線には、スイッチＳＷ２に回路を遮断させる信号として機能する高電位ＶＧＨの供給源が接続されている。ただし、当該信号線と当該供給線との間にはスイッチＳＷ１３が介在する。スイッチＳＷ１３は、種別信号ＳＤＧＰＯ又は信号ＣＯＭＦＬに基づいて生成されるに基づいて生成される信号ＳＲＧＰＯに応じて回路を接続する。第１ミューチュアル検出の場合、信号ＣＯＭＦＬに基づいて生成される信号ＳＲＧＰＯに応じて、スイッチＳＷ１３は回路を遮断する。
【００７４】
また、各迂回配線ＭＬ１においては、少なくとも上記スイッチ１０よりも駆動電極ＣＯＭＬ側となる位置から分岐配線が分岐して駆動電極ＣＯＭＬの端部近傍まで延在している。また、スイッチＳＷ１，ＳＷ２の出力線と駆動電極ＣＯＭＬとの間には、セルフスイッチを構成するスイッチＳＷ９が設けられている。当該スイッチＳＷ９のオン／オフ制御は、ＤＤＩＣ１９から出力される信号ＳＥＬＦＥＮによって実行される。なお、第１ミューチュアル検出では、信号ＳＥＬＦＥＮが供給されない。このため、第１ミューチュアル検出では、駆動電極Ｔｘと第４電位線ＥＬ４とは接続されない。なお、当該信号ＳＥＬＦＥＮは、駆動回路部１４にも供給されており（Ｐ４）、駆動回路部１４と駆動電極ＣＯＭＬとの接続状態を制御する。
【００７５】
上記のように、第１ミューチュアル検出においては、全ての駆動電極ＣＯＭＬに対応するスイッチＳＷ９は開いた状態となる。また、駆動対象となる駆動電極Ｔｘにおいて、スイッチＳＷ５は開き状態である一方、スイッチＳＷ１、ＳＷ２は、スイッチＳＷ３を介してＶＣＯＭＳＥＬに基づく信号によってオン／オフを繰り返し、これによってＶＧＨ／ＶＧＬからなる駆動信号が駆動電極Ｔｘに供給される。また、駆動対象ではない駆動電極ＣＯＭＬにおいて、スイッチＳＷ５は閉じ状態となり、かかる駆動電極ＣＯＭＬにはＶＣＯＭＤＣが供給される。なお、対象となる駆動電極Ｔｘは、走査回路１４ａのシフトレジスタ機能により順次シフトする。
【００７６】
なお、走査回路１４ａは、スイッチＳＷ４を含む。
【００７７】
また、信号選択回路１４ｂは、スイッチＳＷ３、スイッチＳＷ６、スイッチＳＷ６１、スイッチＳＷ１０、スイッチＳＷ１１、スイッチＳＷ１２、スイッチＳＷ１３、レベルシフタＬ／Ｓを含む。
【００７８】
また、電位選択回路１４ｃは、スイッチＳＷ１、スイッチＳＷ２、スイッチＳＷ５（スイッチＳＷ５１，５２）を含む。
【００７９】
また、セルフスイッチ１４ｄは、スイッチＳＷ９を含む。
【００８０】
なお、各種のタッチ検出のタイミングで、ゲート線ＧＣＬは、低電位ＶＧＬに接続される。
【００８１】
図１１は、信号選択回路１４ｂ及び電位選択回路１４ｃの主要回路構成であって、セルフ検出時の各構成の接続状態を示す図である。セルフ検出では、走査回路１４ａはシフトレジスタ駆動を実行せず、走査回路１４ａから信号選択回路１４ｂに向けての信号ＣＯＭＦＬの出力がない。このため、信号選択回路１４ｂ内で信号ＳＲ，ＸＳＲが生成されず、スイッチＳＷ３が回路を遮断する。このため、セルフ検出では、信号選択回路１４ｂから電位選択回路１４ｃに向けての第１信号ＶＣＯＭＳＥＬの供給はない。従って、第１信号ＶＣＯＭＳＥＬによるスイッチＳＷ１及びスイッチＳＷ２の動作は生じない。
【００８２】
また、セルフ検出では、上述の通り、信号ＳＲ，ＸＳＲが生成されない。したがって、スイッチＳＷ６は閉じられる。ただし、セルフ検出では、ＮＯＲ回路Ｐ４に対して信号ＳＥＬＦＥＮが供給される（ハイである）。これによって、スイッチＳＷ５は、ＮＯＲ回路Ｐ４からの信号が供給されて駆動電極ＣＯＭＬと第３電位線ＥＬ３との接続経路を遮断する。かかる駆動は、全ての信号選択回路１４ｂに接続されているＮＯＲ回路Ｐ４に起因するものであり、全ての信号選択回路１４ｂが上述の状態となる。したがって、セルフ検出では、スイッチＳＷ５１，５２も、スイッチＳＷ５と同様、ＮＯＲ回路Ｐ４からの信号が供給されることで接続経路を遮断する。
【００８３】
また、セルフ検出では、スイッチＳＷ９は、信号ＳＥＬＦＥＮが供給されることで駆動電極ＣＯＭＬと第４電位線ＥＬ４とを接続する。これによって、駆動電極ＣＯＭＬには、タッチパネルＩＣ１８ａから供給される駆動信号Ｔｘ＿ｓｅｌｆが信号選択回路１４ｂを経由することなく直接供給されることになる。すなわち、全ての駆動電極ＣＯＭＬの電位は、タッチパネルＩＣ１８ａから直接供給される駆動信号Ｔｘ＿ｓｅｌｆに対応した電位になる。実施形態では、セルフ検出用の駆動信号Ｔｘ＿ｓｅｌｆに対応した電位とは、実質的に第２信号Ｔｘ＿ｏｕｔのハイ／ロウに対応した電位であるが、同様に機能する自己容量用電位専用の電位を他の構成に出力させてもよい。他の構成は、ＤＤＩＣ１９であってもよいし、電源回路１７であってもよい。
【００８４】
なお、上記セルフ検出では、タッチパネルＩＣ１８ａによる駆動電極ＣＯＭＬの駆動である。また、種別信号ＳＤＧＰＯが供給されないため、第１ミューチュアル検出の場合と同様、スイッチＳＷ１０及びスイッチＳＷ１１による回路の遮断が生じる。
【００８５】
また、セルフ検出では、種別信号ＳＤＧＰＯ及び信号ＣＯＭＦＬが供給されない（ロウである）ことに応じた信号ＸＳＲＧＰＯによってスイッチＳＷ１２が回路を接続する。これによって、スイッチＳＷ１に回路を遮断させる信号として機能する低電位ＶＧＬが一度反転してスイッチＳＷ１のゲートに与えられ、スイッチＳＷ１が回路を遮断する。
【００８６】
また、セルフ検出では、種別信号ＳＤＧＰＯ及び信号ＣＯＭＦＬが供給されない（ロウである）ことに応じた信号ＳＲＧＰＯによってスイッチＳＷ１３が回路を接続する。これによって、スイッチＳＷ２に回路を遮断させる信号として機能する高電位ＶＧＨがスイッチＳＷ２のゲートに与えられ、スイッチＳＷ２が回路を遮断する。
【００８７】
（タッチパネルＩＣ１８ｂを搭載した表示パネル）
次に、タッチパネルＩＣ１８がタッチパネルＩＣ１８ｂである場合について、図１２及び図１３を参照して説明する。
【００８８】
図１２は、タッチパネルＩＣ１８がタッチパネルＩＣ１８ｂである場合の各種信号のハイ／ロウを示す模式的なタイムチャートである。図１３は、信号選択回路１４ｂ及び電位選択回路１４ｃの主要回路構成であって、第２ミューチュアル検出時の各構成の接続状態を示す図である。
【００８９】
タッチパネルＩＣ１８ｂが設けられたタッチ検出機能付き表示装置１は、表示期間と、第２ミューチュアル検出期間又はセルフ検出期間とを交互に繰り返すよう動作する。第２ミューチュアル検出期間には、駆動電極ＣＯＭＬと検出電極ＴＤＬの相互静電容量に基づいたタッチ検出が行われる。図１２では、１回の表示期間を挟んで第２ミューチュアル検出期間とセルフ検出期間が交互に行われているパターンを例示しているが、第２ミューチュアル検出期間又はセルフ検出期間をより多く行ってもよい。以下、第２ミューチュアル検出について、図１３を参照して説明する。なお、第２ミューチュアル検出は、第１ミューチュアル検出と同様、相互静電容量方式のタッチ検出である。なお、セルフ検出の具体的な駆動はタッチパネルＩＣ１８ａと実質的に同じであるので、その説明を省略する。
【００９０】
第２ミューチュアル検出では、走査回路１４ａは駆動しない。したがって、信号ＣＯＭＦＬの信号選択回路１４ｂへの供給はない。このため、信号ＳＲ，ＸＳＲが生成されず、スイッチＳＷ３が回路を遮断する。また、第２ミューチュアル検出では、ＤＤＩＣ１９からの第１信号ＶＣＯＭＳＥＬは信号選択回路１４ｂには供給されない。従って、第１信号ＶＣＯＭＳＥＬによるスイッチＳＷ１及びスイッチＳＷ２の動作は生じない。
【００９１】
第２ミューチュアル検出では、上述の通り、信号ＳＲ，ＸＳＲが生成されない。ただし、第２ミューチュアル検出では、ＮＯＲ回路Ｐ４に対して種別信号ＳＤＧＰＯが供給される（ハイである）。これによって、スイッチＳＷ５は、ＮＯＲ回路Ｐ４からの信号が供給されて駆動電極ＣＯＭＬと第３電位線ＥＬ３との接続経路を遮断する。第２ミューチュアル検出では、スイッチＳＷ５１，５２も、スイッチＳＷ５と同様、ＮＯＲ回路Ｐ４からの信号が供給されることで接続経路を遮断する。
【００９２】
第２ミューチュアル検出では、信号ＳＥＬＦＥＮが供給されない。このため、第２ミューチュアル検出では、スイッチＳＷ９によって駆動電極ＣＯＭＬと第４電位線ＥＬ４との接続経路が遮断される。
【００９３】
第２ミューチュアル検出では、種別信号ＳＤＧＰＯが供給される。このため、スイッチＳＷ１０及びスイッチＳＷ１１を介した接続経路が接続される。一方、スイッチＳＷ１２及びスイッチＳＷ１３を介した接続経路が遮断される。これによって、レベルシフタＬ／Ｓが生成する高電位ＶＧＨ／低電位ＶＧＬによるハイ／ロウの切り替わりに応じてスイッチＳＷ１及びスイッチＳＷ２が動作する。高電位ＶＧＨ／低電位ＶＧＬの一方が供給される場合、スイッチＳＷ１又はスイッチＳＷ２の一方は回路を接続し、他方は回路を遮断する。高電位ＶＧＨ／低電位ＶＧＬの他方が供給される場合、他方は回路を接続し、一方は回路を遮断する。
【００９４】
第２ミューチュアル検出においてスイッチＳＷ１又はスイッチＳＷ２のゲートに供給される高電位ＶＧＨ／低電位ＶＧＬは、第２信号Ｔｘ＿ｏｕｔのハイ／ロウをレベルシフタＬ／Ｓが増幅した信号であり、第２信号Ｔｘ＿ｏｕｔのハイ／ロウに応じてハイ（ＶＧＨ）／ロウ（ＶＧＬ）が切り替わる。
【００９５】
なお、隣り合う駆動電極ＣＯＭＬの一方の電位の切り替わりパターンを正相であるとした場合に、他方の電位の切り替わりパターンを正相の逆（逆相）とする制御を採用してもよい。具体的には、隣り合う駆動電極ＣＯＭＬの一方と高駆動電位ＴＰＨの第１電位線ＥＬ１との間に介在するスイッチがスイッチＳＷ１である場合、隣り合う駆動電極ＣＯＭＬの他方と高駆動電位ＴＰＨの第１電位線ＥＬ１との間に介在するスイッチはスイッチＳＷ２である。また、隣り合う駆動電極ＣＯＭＬの一方と低駆動電位ＴＰＬの第２電位線ＥＬ２との間に介在するスイッチがスイッチＳＷ２である場合、隣り合う駆動電極ＣＯＭＬの他方と低駆動電位ＴＰＬの第２電位線ＥＬ２との間に介在するスイッチはスイッチＳＷ１である。したがって、隣り合う駆動電極ＣＯＭＬの一方と他方とでは、高電位ＶＧＨ／低電位ＶＧＬのハイ／ロウに応じて接続される電位線（第１電位線ＥＬ１又は第２電位線ＥＬ２）が逆になることで、かかる制御が実現できる。
【００９６】
上記のように、第２ミューチュアル検出においては、全ての駆動電極ＣＯＭＬに対応するスイッチＳＷ９は開いた状態となる。また、少なくとも駆動対象となる駆動電極Ｔｘにおいて、スイッチＳＷ５は開き状態である一方、スイッチＳＷ１、ＳＷ２は、スイッチＳＷ１０、スイッチ１１を介して第２信号Ｔｘ＿ｏｕｔに基づく信号によってオン／オフを繰り返し、これによってＶＧＨ／ＶＧＬからなる駆動信号が駆動電極Ｔｘに供給される。なお、駆動対象となる駆動電極Ｔｘは、タッチパネルＩＣ１８ｂから出力される第２信号Ｔｘ＿ｏｕｔが順次シフトすることによって順次シフトする。タッチパネルＩＣ１８ｂは、駆動対象となる駆動電極Ｔｘに接続される迂回配線ＭＬ１に対し、第２信号を出力する。当該出力は駆動電極Ｔｘを駆動するには出力が弱い。このため、当該出力は、レベルシフタによって増幅された後、各スイッチに供給される。一方、タッチパネルＩＣ１８ｂは、駆動対象とならない駆動電極ＣＯＭＬに接続される配線に対し、オフ制御の信号を供給する。当該信号はレベルシフタによってＶＧＬとなり、スイッチＳＷ１１に供給される。これにより、スイッチＳＷ１はオフ成語となる一方、スイッチＳＷ２はオン制御となり、ＴＰＬが各駆動電極ＣＯＭＬに供給される。
【００９７】
図１４は、延出部ＳＡにおける具体的な回路構成例を示す図である。なお、図１４では、Ｓｏｕｒｅｃｅ  Ｏｕｔｐｕｔを「ＳＯ」として図示している。延出部ＳＡには、上記ＤＤＩＣ１９を含めソース線ＳＧＬに対して画素信号Ｖｐｉｘを供給するためのＩＣチップをＸ方向に複数個設けられている。さらに、これらＩＣチップの間には、それぞれＣＯＭドライバＤＣが設けられている。ＣＯＭドライバＤＣは、予め定められた数（例えば、４つ又は８つ）の駆動電極ＣＯＭＬに対応した走査回路１４ａ、信号選択回路１４ｂとして機能する。また、かかるＣＯＭドライバと駆動電極（図示せず）の間には、電位選択回路１４ｃが設けられると共に、セルフスイッチ１４ｄが設けられている。また、隣り合うＣＯＭドライバＤＣ同士を接続する破線は、シフトレジスタ信号Ｓ／Ｒの伝送経路である。これにより、各ＣＯＭドライバは互いに同期して順次駆動する。
【００９８】
図１４に示す例では、フレキシブル基板７２から延出部ＳＡに第１電位線ＥＬ１、第２電位線ＥＬ２、第３電位線ＥＬ３及び第４電位線ＥＬ４が延出している。すなわち、電源回路１７が延出部ＳＡよりもフレキシブル基板７２側に設けられている例を示しているが、これに限られるものでなく、電源回路１７及び第１電位線ＥＬ１、第２電位線ＥＬ２、第３電位線ＥＬ３及び第４電位線ＥＬ４の具体的な配線の形態は適宜変更可能である。
【００９９】
図１４に示すように、ＣＯＭドライバＤＣ（走査回路１４ａ及び信号選択回路１４ｂ）と電位選択回路１４ｃは、タッチ検出機能付き表示装置１が画像を表示するための各種の構成に対する設計の影響を最小限として実装可能である。
【０１００】
実施形態によれば、タッチ検出機能付き表示装置１は、複数の画素Ｐｉｘが配置された表示パネル２０と、表示パネル２０の表示面に沿ってＸ方向に並ぶ複数の駆動電極ＣＯＭＬと、表示面に沿ってＹ方向に並んで駆動電極ＣＯＭＬと対向する検出電極ＴＤＬと、駆動電極ＣＯＭＬに与えられる電位を、駆動信号Ｖｃｏｍ又は非駆動電位ＶＣＯＭＤＣのいずれかにする切替制御を行う電位選択回路１４ｃと、複数の駆動電極ＣＯＭＬのうちタッチ検出に用いられる駆動電極ＣＯＭＬを示すシフトレジスタ信号Ｓ／Ｒを出力する走査回路１４ａと、検出電極ＴＤＬの電位に基づいてタッチ操作を検出するタッチパネルＩＣ１８と、シフトレジスタ信号Ｓ／Ｒに対応した第１信号ＶＣＯＭＳＥＬ又は第２信号Ｔｘ＿ｏｕｔのいずれかを電位選択回路１４ｃに供給する信号選択回路１４ｂと、を備える。当該切替制御は、走査回路１４ａから第１信号ＶＣＯＭＳＥＬが供給された場合、複数の駆動電極ＣＯＭＬのうち一部の駆動電極ＣＯＭＬ（例えば、駆動電極Ｔｘ）に駆動信号Ｖｃｏｍを与え、当該一部を除く駆動電極ＣＯＭＬに非駆動電位ＶＣＯＭＤＣを与える。また、信号選択回路１４ｂは、タッチパネルＩＣ１８からの第２信号Ｔｘ＿ｏｕｔも受信可能となっており、これによって、タッチパネルＩＣ１８からの第２信号に基づいて当該信号選択回路１４ｂ及び電位選択回路１４ｃを制御し、各駆動電極ＣＯＭＬに駆動信号を供給することができるものとなっている。従って、タッチパネルＩＣ１８がタッチパネルＩＣ１８ａであってもタッチパネルＩＣ１８ｂであっても切替制御によってタッチ検出を行うことができる。すなわち、より多くの種類のタッチパネルＩＣ１８に対応可能になる。
【０１０１】
また、タッチ検出機能付き表示装置１は、信号選択回路１４ｂの動作を制御するＤＤＩＣ１９を備える。ＤＤＩＣ１９は、タッチパネルＩＣ１８の種類（タッチパネルＩＣ１８ａ又はタッチパネルＩＣ１８ｂ）に対応した種別信号ＳＤＧＰＯを信号選択回路１４ｂに出力する。信号選択回路１４ｂは、種別信号ＳＤＧＰＯに応じてシフトレジスタ信号Ｓ／Ｒ及び第１信号ＶＣＯＭＳＥＬ又は第２信号Ｔｘ＿ｏｕｔのいずれかを電位選択回路１４ｃに供給する。従って、種別信号ＳＤＧＰＯのハイ／ロウを変更するだけでタッチパネルＩＣ１８ａにもタッチパネルＩＣ１８ｂにも対応可能になる。
【０１０２】
なお、上記の実施形態では、ＤＤＩＣ１９に第２信号Ｔｘ＿ｏｕｔが供給される構成となっておらず、タッチパネルＩＣ１８からＤＤＩＣ１９に向けて別の識別信号を供給する構成となっているが、これに限られるものでない。他の実施形態として、採用されるタッチパネルＩＣ１８に基づいて、予めＤＤＩＣ１９からの出力をタッチパネルＩＣ１８に合わせて変更しておいてもよい。
【０１０３】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【０１０４】
検出電極ＴＤＬは金属配線を有しているが、検出電極ＴＤＬは例えばＩＴＯ等の透光性を有する導電性材料であってもよい。この場合であっても、第１額縁配線及び第２額縁配線を各実施形態で説明した構成とすることで、額縁領域１０ｂの幅の増大を抑制しつつ、額縁領域１０ｂの不可視化を実現することができる。
【０１０５】
また、上記で「タッチ検出」とされているユーザの操作の検出は、タッチ検出機能付き表示装置１の表示面に対するタッチ操作に限らず、ホバー操作、押圧操作等、タッチ検出機能付き表示装置１に対してユーザが行うことができるあらゆる操作の検出を含む。
【符号の説明】
【０１０６】
１  タッチ検出機能付き表示装置
１０  タッチ検出機能付き表示部
１１  制御部
１２  ゲートドライバ
１３  ソースドライバ
１４  駆動回路部
１４ａ  走査回路
１４ｂ  信号選択回路
１４ｃ  電位選択回路
１４ｄ  セルフスイッチ
１７  電源回路
１８，１８ａ，１８ｂ  タッチパネルＩＣ
１９  ＤＤＩＣ
２０  表示パネル
２２  画素電極
３０  タッチパネル
３２  カラーフィルタ
４０  タッチ検出部
７１、７２  フレキシブル基板
Ｔｘ，ＣＯＭＬ  駆動電極
Ｐｉｘ  画素
ＳＰｉｘ  副画素
ＳＧＬ  ソース線
ＴＤＬ  検出電極
Ｖｃｏｍ  駆動信号
【図１】
2020204977.tif 000003
【図２】
2020204977.tif 000004
【図３】
2020204977.tif 000005
【図４】
2020204977.tif 000006
【図５】
2020204977.tif 000007
【図６】
2020204977.tif 000008
【図７】
2020204977.tif 000009
【図８】
2020204977.tif 000010
【図９】
2020204977.tif 000011
【図１０】
2020204977.tif 000012
【図１１】
2020204977.tif 000013
【図１２】
2020204977.tif 000014
【図１３】
2020204977.tif 000015
【図１４】
2020204977.tif 000016